(57)【特許請求の範囲】
【請求項１】
電子線殺菌機で電子線照射時に発生した樹脂製容器（以下容器と称することがある。）の帯電を除去する帯電除去方法において、
前記容器は、前記容器の内径が容器口部で小さくなっており、
電子線照射後の前記容器を前記容器口部が下方を向いた倒立状態にして、前記容器内の空間へ通電性を備えた導電体を所定時間挿入し、前記導電体に交流電極を接続する、又は前記導電体をアース接続することによって、前記電子線照射時に発生した容器の帯電を前記導電体経由で除去することを特徴とする帯電除去方法。
【請求項２】
請求項１に記載した帯電除去方法において、照射電子線の影響領域である遮蔽室内で、前記電子線照射後の容器が下流の容器搬送装置へ受け渡されるまでの前記電子線殺菌機の容器搬送経路、又は、前記電子線照射後の容器が前記電子線殺菌機の下流の容器搬送装置へ受け渡されてから前記遮蔽室の外部へ排出されるまでの前記容器搬送装置の容器搬送経路で、前記導電体を前記容器内の空間へ所定時間挿入することを特徴とする帯電除去方法。
【請求項３】
請求項１に記載した帯電除去方法において、照射電子線の影響領域である遮蔽室内で、前記電子線照射後の容器が下流の容器搬送装置へ受け渡されるまでの前記電子線殺菌機の容器搬送経路で、前記導電体を前記容器内の空間へ所定時間挿入した後に、さらに、前記電子線照射後の容器が前記電子線殺菌機の下流の容器搬送装置へ受け渡されてから前記遮蔽室の外部へ排出されるまでの前記容器搬送装置の容器搬送経路で、前記導電体を前記容器内の空間へ所定時間挿入することを特徴とする帯電除去方法。
【請求項４】
請求項１から３のいずれか一項に記載した帯電除去方法において、前記容器を電子線殺菌機に設けた複数の電子線照射手段で照射し、最終の電子線照射手段での照射後に前記導電体を前記容器内の空間へ所定時間挿入することを特徴とする帯電除去方法。
【請求項５】
電子線殺菌機で電子線照射時に発生した樹脂製容器（以下容器と称することがある。）の帯電を除去する帯電除去装置において、
前記容器は、前記容器の内径が容器口部で小さくなっており、
前記電子線照射後の前記容器を前記容器口部が下方を向いた倒立状態にして前記容器を搬送する容器搬送経路に前記容器内の空間へ通電性を備えた導電体を所定時間挿入する導電体挿入手段を設け、前記導電体に交流電極を接続する、又は前記導電体をアース接続して、前記電子線照射時に発生した容器の帯電を前記導電体の挿入により除去する構成したことを特徴とする帯電除去装置。
【請求項６】
請求項５に記載した帯電除去装置において、照射電子線の影響領域である遮蔽室内で、前記電子線照射後の容器が下流の容器搬送装置へ受け渡されるまでの前記電子線殺菌機の容器搬送経路、又は、前記電子線照射後の容器が前記電子線殺菌機の下流の容器搬送装置へ受け渡されてから前記遮蔽室の外部へ排出されるまでの前記容器搬送装置の容器搬送経路に、前記導電体挿入手段を設ける構成したことを特徴とする帯電除去装置。
【請求項７】
請求項５に記載した帯電除去装置において、照射電子線の影響領域である遮蔽室内で、前記電子線照射後の容器が下流の容器搬送装置へ受け渡されるまでの前記電子線殺菌機の容器搬送経路に前記導電体挿入手段を設けるとともに、さらに、前記電子線照射後の容器が前記電子線殺菌機の下流の容器搬送装置へ受け渡されてから前記遮蔽室の外部へ排出されるまでの前記容器搬送装置の容器搬送経路に前記導電体挿入手段を設ける構成したことを特徴とする帯電除去装置。
【請求項８】
請求項５から７のいずれか一項に記載した帯電除去装置において、前記電子線殺菌機に複数の電子線照射手段を設けて、最終の電子線照射手段の下流に、前記導電体挿入手段を設ける構成したことを特徴とする帯電除去装置。
【発明の詳細な説明】
【技術分野】
【０００１】
本発明は、電子線殺菌機で電子線照射時に発生した樹脂製容器の帯電を除去する帯電除去方法および装置に関する。
【背景技術】
【０００２】
飲料液、医薬液充填用のＰＥＴボトル等の樹脂製容器を充填前に電子線殺菌機で電子線照射すると、樹脂製容器が帯電することは従来から知られているが、帯電している樹脂製容器は静電気により周囲の埃等を引き寄せるなどの問題が発生することがある。
このため、電子線照射時に樹脂製容器の帯電を防止する技術が提案されている（特許文献１）。
前記特許文献１によれば、樹脂製容器を電子線照射時に、樹脂製容器の口部から内部へアース電極を挿入した状態で電子線照射することにより樹脂製容器の帯電を防止するとしている。
【先行技術文献】
【特許文献】
【０００３】
【特許文献１】特開２０１１−２６０００号公報（図２）
【発明の概要】
【発明が解決しようとする課題】
【０００４】
しかしながら、前記特許文献１の技術では、樹脂製容器の口部から内部へアース電極（導電体）を挿入すると、該アース電極によって樹脂製容器内に照射されるべき電子線を遮ることになり、樹脂製容器内を殺菌するための電子線吸収線量を低下させてしまう恐れがある。特に、ＰＥＴボトル等の容器口部のように肉厚が厚くかつ口径が小さい箇所では電子線透過量が少なく、開口部からの電子線の廻り込みによって口部内部を殺菌することになるため、開口部を塞ぐアース電極のような部材は口部内部の殺菌力低下に繋がってしまうという恐れがある。
【０００５】
本発明は、電子線殺菌機で電子線照射時に発生する樹脂製容器の帯電を除去する帯電除去方法および装置において、従来技術をさらに進化させて、電子線殺菌性能を妨げることがなく、樹脂製容器の帯電を除去できる帯電除去方法および装置を提供することを目的としている。
【課題を解決するための手段】
【０００６】
前記の課題に対し、本発明は以下の手段により解決を図る。
（１）第１の手段の帯電除去方法は、電子線殺菌機で電子線照射時に発生した樹脂製容器（以下容器と称することがある。）の帯電を除去する帯電除去方法において、前記容器は、前記容器の内径が容器口部で小さくなっており、電子線照射後の前記容器を前記容器口部が下方を向いた倒立状態にして、前記容器内の空間へ通電性を備えた導電体を所定時間挿入し、前記導電体に交流電極を接続する、又は前記導電体をアース接続することによって、前記電子線照射時に発生した容器の帯電を前記導電体経由で除去することを特徴とする。
【０００８】
（３）第３の手段の帯電除去方法は、前記第１および第２の手段の帯電除去方法において、照射電子線の影響領域である遮蔽室内で、前記電子線照射後の容器が下流の容器搬送装置へ受け渡されるまでの前記電子線殺菌機の容器搬送経路、又は、前記電子線照射後の容器が前記電子線殺菌機の下流の容器搬送装置へ受け渡されてから前記遮蔽室の外部へ排出されるまでの前記容器搬送装置の容器搬送経路で、前記導電体を前記容器内の空間へ所定時間挿入することを特徴とする。
【０００９】
（４）第４の手段の帯電除去方法は、前記第１および第２の手段の帯電除去方法において、照射電子線の影響領域である遮蔽室内で、前記電子線照射後の容器が下流の容器搬送装置へ受け渡されるまでの前記電子線殺菌機の容器搬送経路で、前記導電体を前記容器内の空間へ所定時間挿入するようにした後に、さらに、前記電子線照射後の容器が前記電子線殺菌機の下流の容器搬送装置へ受け渡されてから前記遮蔽室の外部へ排出されるまでの前記容器搬送装置の容器搬送経路で、前記導電体を前記容器内の空間へ所定時間挿入することを特徴とする。
【００１０】
（５）第５の手段の帯電除去方法は、前記第１から第４の手段の帯電除去方法において、前記容器を電子線殺菌機に設けた複数の電子線照射手段で照射し、最終の電子線照射手段での照射後に前記導電体を前記容器内の空間へ所定時間挿入することを特徴とする。
【００１１】
（６）第６の手段の帯電除去装置は、電子線殺菌機で電子線照射時に発生した樹脂製容器（以下容器と称することがある。）の帯電を除去する帯電除去装置において、前記容器は、前記容器の内径が容器口部で小さくなっており、前記電子線照射後の前記容器を前記容器口部が下方を向いた倒立状態にして前記容器を搬送する容器搬送経路に前記容器内の空間へ通電性を備えた導電体を所定時間挿入する導電体挿入手段を設け、前記導電体に交流電極を接続する、又は前記導電体をアース接続して、前記電子線照射時に発生した容器の帯電を前記導電体の挿入により除去する構成したことを特徴とする。
【００１２】
（７）第７の手段の帯電除去装置は、前記第６の手段の帯電除去装置において、照射電子線の影響領域である遮蔽室内で、前記電子線照射後の容器が下流の容器搬送装置へ受け渡されるまでの前記電子線殺菌機の容器搬送経路、又は、前記電子線照射後の容器が前記電子線殺菌機の下流の容器搬送装置へ受け渡されてから前記遮蔽室の外部へ排出されるまでの前記容器搬送装置の容器搬送経路に、前記導電体挿入手段を設ける構成したことを特徴とする。
【００１３】
（８）第８の手段の帯電除去装置は、前記第６の手段の帯電除去装置において、照射電子線の影響領域である遮蔽室内で、前記電子線照射後の容器が下流の容器搬送装置へ受け渡されるまでの前記電子線殺菌機の容器搬送経路に前記導電体挿入手段を設けるとともに、さらに、前記電子線照射後の容器が前記電子線殺菌機の下流の容器搬送装置へ受け渡されてから前記遮蔽室の外部へ排出されるまでの前記容器搬送装置の容器搬送経路に前記導電体挿入手段を設ける構成したことを特徴とする。
【００１４】
（９）第９の手段の帯電除去装置は、前記第６から第８の手段の帯電除去装置において、前記電子線殺菌機に複数の電子線照射手段を設けて、最終の電子線照射手段の下流に、前記導電体挿入手段を設ける構成したことを特徴とする。
【発明の効果】
【００１５】
請求項１および６に係わる本発明は、電子線殺菌機で電子線照射時に発生した樹脂製容器の帯電を除去する帯電除去方法および装置において、電子線照射後の前記容器内の空間へ通電性を備えた導電体を所定時間挿入することによって、前記電子線照射時に発生した容器の帯電を前記導電体経由で除去するようにしたことにより、電子線照射時には導電体が容器内の空間に存在しないため殺菌性能が妨げられることなく、電子線照射時に発生した樹脂製容器の帯電を除去できるという効果を有する。
【００１６】
請求項２係わる本発明は、請求項１に記載した帯電除去方法において、前記容器を容器口部が下方に向いた倒立状態にして帯電除去することにより、倒立状態の容器の下方から導電体を挿入することができ、容器内に異物が溜まるのを防止することができるという効果を有する。
【００１７】
請求項３および７に係わる本発明は、請求項１、２、６のいずれか一項に記載した帯電除去方法および装置において、照射電子線の影響領域である遮蔽室内で、前記電子線照射後の容器が下流の容器搬送装置へ受け渡されるまでの前記電子線殺菌機の容器搬送経路、又は、前記電子線照射後の容器が前記電子線殺菌機の下流の容器搬送装置へ受け渡されてから前記遮蔽室の外部へ排出されるまでの前記容器搬送装置の容器搬送経路で、前記導電体を前記容器内の空間へ所定時間挿入するようにしたことにより、電子線照射の際二次的に発生するＸ線によって電子線照射後の容器内のエアが電離し、電離にて発生したプラスイオンが容器内面のマイナスイオンと中和するとともに、容器内に残留した電離マイナスイオンを導電体経由で外部へ逃して、電子線照射時に発生した樹脂製容器の帯電を除去できるという効果を有する。
【００１８】
請求項４および８に係わる本発明は、請求項１、２、６のいずれか一項に記載した帯電除去方法および装置において、照射電子線の影響領域である遮蔽室内で、前記電子線照射後の容器が下流の容器搬送装置へ受け渡されるまでの前記電子線殺菌機の容器搬送経路で、前記導電体を前記容器内の空間へ所定時間挿入するようにした後に、さらに、前記電子線照射後の容器が前記電子線殺菌機の下流の容器搬送装置へ受け渡されてから前記遮蔽室の外部へ排出されるまでの前記容器搬送装置の容器搬送経路で、前記導電体を前記容器内の空間へ所定時間挿入するようにしたことにより、前記電子線殺菌機内で電子線照射後容器を帯電除去した後、下流の容器搬送装置で搬送中に遮蔽室内の照射電子線によって前記容器が再帯電しても、再帯電を確実に除去できるという効果を有する。
【００１９】
請求項５および９に係わる本発明は、請求項１から４及び請求項６から８のいずれか一項に記載した帯電除去方法および装置において、前記容器を電子線殺菌機に設けた複数の電子線照射手段で照射し、最終の電子線照射手段での照射後に前記導電体を前記容器内の空間へ所定時間挿入するようにしたことにより、容器を複数の電子線照射手段による照射で確実に殺菌した後に、複数の電子線照射手段で照射後の容器を一度に効率的に帯電除去できるという効果を有する。
【図面の簡単な説明】
【００２０】
【図１】本発明の第１の実施の形態に係わる帯電除去装置を組み込んだラインを摸式的に示した平面図である。
【図２】図１のII−II断面図で、容器が電子線照射を受けて殺菌されている状態を示す図である。
【図３】図１のIII−III断面図で、本発明の第１の実施の形態に係わる帯電除去装置を示す図である。
【図４】本発明の第２の実施の形態に係わる帯電除去装置を組み込んだラインを摸式的に示した平面図で、図１に相当する図である。
【図５】図４のＩＶ−ＩＶ断面図で、本発明の第２の実施の形態に係わる帯電除去装置を示す図である。
【図６】本発明の第３の実施の形態に係わり、複数の電子線照射手段を組み込んだラインを摸式的に示した平面図で、図４に相当する図である。
【発明を実施するための形態】
【００２１】
以下、この発明の実施の形態につき図面を参照しつつ詳細に説明する。なお、この実施の形態によりこの発明が限定されるものではない。また、下記実施の形態における構成要素には、当業者が容易に想定できるもの、あるいは本質的に同一のものが含まれる。
【００２２】
（本発明の第１の実施の形態）
本発明の第１の実施の形態に係わる帯電除去装置を図１から図３に基づいて説明する。
図１は、本発明の第１の実施の形態に係わる帯電除去装置を組み込んだラインを摸式的に示した平面図である。
図２は、図１のII−II断面図で、容器が電子線照射を受けて殺菌されている状態を示す図である。
図３は、図１のIII−III断面図で、本発明の第１の実施の形態に係わる帯電除去装置を示す図である。
図１において、上流から矢印Ｆ１の方向へ搬入されてくる樹脂製容器Ｐ（以下容器Ｐと称することがある。）は、矢印１１ａの方向に回転搬送するスターホイール１１、矢印１２ａの方向に回転搬送するスターホイール１２、矢印３ａの方向の回転搬送の間に電子線照射手段３Ｅからの電子線照射を受けて容器Ｐが殺菌される電子線殺菌機３、矢印１４ａの方向に回転搬送するスターホイール（容器搬送装置）１４、矢印１５ａの方向に回転搬送するスターホイール１５を順次受け渡され、搬送されて、矢印Ｆ２の方向へ搬出されるようになっている。
【００２３】
なお、前記スターホイール１１、スターホイール１２、電子線殺菌機３、スターホイール１４、スターホイール１５は同期運転されるように構成されており、また、前記スターホイール１２、電子線殺菌機３、スターホイール１４は照射された電子線が外部に漏洩しないように囲まれた遮蔽室（照射電子線の影響領域）５内に設置されている。
また、前記電子線殺菌機３の容器搬送経路の図示Ｒ点から図示Ｓ点の間の所定位置には後述する帯電除去装置１が設けられている。
【００２４】
前記電子線殺菌機３で搬送される容器Ｐは、図２に示すように、口部Ｐｍを下方に向けた倒立状態で、図示しない回転円板に円周等分配置で設けられた容器グリッパ３ｇによって保持されて回転搬送されるようになっており、図１に示す電子線照射部ＥＢでは遮蔽室５の所定の大きさの窓に取付けられた電子線照射手段３Ｅから電子線照射を受けて殺菌されるようになっている。
【００２５】
前記帯電除去装置１は、図３に示すように、前記電子線殺菌機３に設けられて図示Ｍ方向に上下動する回転円板１ｐに円周等分で容器グリッパ３ｇに対応した位置に取付けられた導電体１ｂが、前記容器グリッパ３ｇによって保持された容器Ｐ内の空間へ、挿入または抜出される導電体挿入手段によって、図１に示すＲ点からＳ点の間の所定位置で容器Ｐ内の空間へ挿入され、約１秒間挿入された後、容器Ｐ内の空間から抜出される構成となっている。ここでは、導電体１ｂの容器内への挿入時間を約１秒としたが、帯電除去性能上必要な時間とすればよい。この導電体挿入手段は、図示しない制御手段により、その動作が制御される。すなわち、容器Ｐ内の空間に対する導電体１ｂの挿入タイミング及び抜出タイミングがこの制御手段により制御される。
【００２６】
前記導電体１ｂおよび回転円板１ｐは、金属等の導電性の材料で構成され、電子が外部へ導通（通電）となるように、図３に示すように、アース、正極、又は、交流電極に接続されるように構成されている。
なお、容器Ｐの口部Ｐｍから内空間への前記導電体１ｂの挿入深さＬは、容器Ｐの肉厚が厚い口部Ｐｍから肩部Ｐｓまでの部分よりも長い深さが望ましい。
【００２７】
次に、本発明の第１の実施の形態に係わる帯電除去装置１の作用を説明する。
電子線殺菌機３の電子線照射手段３Ｅからの電子線照射による殺菌時に、容器Ｐの壁体内面にはマイナスの電荷が引き寄せられて滞留し、壁体外面にはプラスの電荷が滞留することによって帯電することがある。
遮蔽室５内で電子線照射部ＥＢから照射される電子線により二次的に発生するＸ線によって容器Ｐ内の空間のエアはプラスイオンとマイナスイオンに電離して、前記Ｒ点以降では、電離したプラスイオンが前記電子線照射後の容器Ｐの壁体内面のマイナスイオンと中和し、容器Ｐ内の空間に残留する電離マイナスイオンは容器Ｐ内の空間に挿入された導電体１ｂを経由して外部へ除去され、前記容器Ｐの帯電がスムーズに除去される。
なお、導電体１ｂを容器Ｐ内の空間へ挿入中は、前記電子線照射を継続すると、二次的にＸ線が発生していることにより、前記説明の導電体１ｂによる殺菌後容器Ｐの帯電除去が有効に行われる。
【００２８】
前記説明では、導電体挿入手段を電子線殺菌機３の容器搬送経路の図示Ｒ点からＳ点の間の所定位置に設ける場合を説明したが、前記照射電子線の影響領域である遮蔽室５内で、前記電子線照射後の容器Ｐが前記電子線殺菌機３の下流のスターホイール（容器搬送装置）１４へ受け渡されてから前記遮蔽室５の外部へ排出されるまでの前記スターホイール１４の容器搬送経路の図示Ｓ点からＴ点までの間に設けてもよいが、詳細な説明は省略する。
【００２９】
なお、前記容器Ｐは容器グリッパ３ｇによって倒立状態に保持されて回転搬送されるので、容器Ｐの搬送中および帯電除去中に容器Ｐ内へ埃等の異物が混入し、溜まるのを防止することができるが、前記遮蔽室５内の雰囲気がクリーンな状態である場合には、容器Ｐを倒立状態に保持して搬送することに限定しなくてもよいことはもちろんである。
【００３０】
（本発明の第２の実施の形態）
次に、本発明の第２の実施の形態に係わる帯電除去装置を図４および図５に基づいて説明する。
図４は、本発明の第２の実施の形態に係わる帯電除去装置を組み込んだラインを摸式的に示した平面図で、図１に相当する図である。
図５は、図４のＩＶ−ＩＶ断面図で、本発明の第２の実施の形態に係わる帯電除去装置を示す図である。
図４において、図１と同じ構造のものは同じ符号を記してあり、重複する説明は省略するが、図１のスターホイール１４の代わりに矢印４ａの方向に容器Ｐを回転搬送するスターホイール（容器搬送装置）４が配置され、該スターホイール４には帯電除去装置２が設けられている。
なお、電子線殺菌機３には、前記第１の実施の形態で説明した帯電除去装置１が設けられている。
【００３１】
前記帯電除去装置２は、図５に示すように、前記スターホイール４に設けられて図示Ｎ方向に上下動する回転円板４Ｐに円周等分で後述する容器グリッパ４ｇに対応した位置に取付けられた導電体２ｂが、スターホイール４の図示しない回転円板に円周等分配置で設けられた容器グリッパ４ｇによって倒立状態で保持された容器Ｐ内の空間へ、挿入または抜出する導電体挿入手段によって、図４に示すＳ点からＴ点の間の所定位置で容器Ｐ内の空間へ約１秒間挿入された後、容器Ｐ内の空間から抜出される構成となっている。ここで、導電体２ｂの容器内の空間への挿入時間を約１秒としたが、帯電除去性能上必要な時間とすればよい。
【００３２】
前記導電体２ｂおよび回転円板４ｐは、金属等の導電性の材料で構成され、電子が外部へ導通となるように、図５に示すように、アース、正極、又は、交流電極に接続されるように構成されている。
なお、前記導電体２ｂの容器Ｐ内の空間への挿入深さは、前記第１の実施の形態で説明した内容と同じであり、重複する説明は省略する。
【００３３】
次に、本発明の第２の実施の形態に係わる帯電除去装置２の作用を説明する。
電子線殺菌機３による電子線照射時に帯電した容器Ｐは、図示Ｒ点から図示Ｓ点までの容器搬送経路で該容器Ｐ内の空間に挿入された導電体１ｂによって帯電が除去された後、スターホイール４に受け渡され、搬送されている間に、遮蔽室５内の照射電子線の影響で再帯電することがあるが、図示Ｓ点から図示Ｔ点までの容器搬送の間に該容器Ｐ内の空間へ挿入される導電体２ｂによって再帯電が除去され、前記容器Ｐの帯電除去が確実になされる。
なお、導電体２ｂによる帯電除去の作用は、前記第１の実施の形態で説明した導電体１ｂによる帯電除去の作用と同様であり、詳細な重複説明は省略する。
【００３４】
（本発明の第３の実施の形態）
次に、本発明の第３の実施の形態を図６に基づいて説明する。
図６は、本発明の第３の実施の形態に係わり、複数の電子線照射手段を組み込んだラインを摸式的に示した平面図で、図４に相当する図である。
図６において、図４と同じ構造のものは同じ符号を記してあり、重複する説明は省略するが、電子線殺菌機１３は、図示しない回転円板に円周等分に設けられた容器グリッパ１３ｇに保持された容器Ｐが、矢印１３ａの方向の回転搬送の間に複数（ここでは２個）の電子線照射手段１３Ｅ１（電子線照射部ＥＢ１）と電子線照射手段１３Ｅ２（電子線照射部ＥＢ２）からの電子線照射を受けて殺菌されるように構成されている。
なお、前記容器グリッパ１３ｇは、第１の実施の形態で説明した容器グリッパ３ｇに相当するものであり、重複する説明は省略する。
【００３５】
また、前記電子線殺菌機１３の前記複数の内の最終の電子線照射手段１３Ｅ２の下流には、帯電除去装置１が設けられており、その構成は前記第１の実施の形態で説明した内容と同じであり、図示Ｒ１点から図示Ｓ点までの搬送経路で導電体１ｂが容器Ｐ内の空間へ挿入されるようになっているが、重複する説明は省略する。
さらに、スターホイール４には帯電除去装置２が設けられているが、前記第２の実施の形態で説明した内容と重複するので、詳細な説明は省略する。
【００３６】
なお、スターホイール１１、スターホイール１２、電子線殺菌機１３、スターホイール４、スターホイール１５は同期運転されるように構成されており、また、前記スターホイール１２、電子線殺菌機１３、スターホイール４は照射された電子線が外部に漏洩しないように囲まれた遮蔽室５１内に設置されている。
また、電子線照射手段１３Ｅ１および電子線照射手段１３Ｅ２は遮蔽室５１の所定の大きさの窓に取付けられている。
【００３７】
次に、本発明の第３の実施の形態の作用について説明する。
容器Ｐは、複数（ここでは２個）の電子線照射手段１３Ｅ１および電子線照射手段１３Ｅ２からの電子線照射を受けて確実に電子線殺菌された後、前記Ｒ１点から前記Ｔ点までの間で、帯電除去装置１および帯電除去装置２の導電体１ｂおよび導電体２ｂの挿入によって、電子線照射時に帯電していた容器Ｐは帯電除去される。
【００３８】
前記説明では、２組の帯電除去装置１および帯電除去装置２を設ける場合について説明したが、帯電除去装置１又は帯電除去装置２の何れか一方のみを設けるとしてもよいことはもちろんであり、目的とする帯電除去レベルに応じて選択することができる。
【００３９】
電子線殺菌を確実にするために、容器Ｐは複数の電子線照射手段によって殺菌されることがあるが、電子線照射手段１３Ｅ１からの電子線照射を受けてから、容器Ｐ内の空間への導電体挿入によって帯電除去した後、電子線照射手段１３Ｅ２からの電子線照射を受けてから、容器Ｐ内の空間への導電体挿入によって帯電除去するのではなく、前記説明のように、電子線照射手段１３Ｅ１および電子線照射手段１３Ｅ２からの電子線照射を受けてから容器Ｐ内の空間への導電体挿入を行えば、帯電除去は十分に行えて、効率的である。
【符号の説明】
【００４０】
１、２  帯電除去装置
１ｂ、２ｂ  導電体
１ｐ、２ｐ  回転円板
３、１３  電子線殺菌機
３Ｅ、１３Ｅ１、１３Ｅ２  電子線照射手段
３ｇ、４ｇ、１３ｇ  容器グリッパ
４、１１、１２、１４、１５  スターホイール（容器搬送装置）
５、５１  遮蔽室
Ｐ  容器
Ｐｍ  容器の口部
Ｐｓ  容器の肩部
【図１】
0005991651.tif 000002
【図２】
0005991651.tif 000003
【図３】
0005991651.tif 000004
【図４】
0005991651.tif 000005
【図５】
0005991651.tif 000006
【図６】
0005991651.tif 000007